(57)【要約】【課題】吊り戸等建具類の戸車装着用彫り込み溝加工を容易にした建具の溝加工具を提供する。【解決手段】回転式電動工具本体１の回転中心軸２と直角なフランジ１ａ上に該回転中心軸を挟んで立設する一対の案内壁１１を有する案内板９を配設すると共に、該案内板の何れか一方には被加工物の彫り込み溝深さを調整する彫り込み深さ調整手段１５を設け、前記案内壁１１の間隔を案内板９の固定位置を変更することにより回転中心軸２を基準として離隔自在に構成した。【選択図】    図１
0003110606.tif 000002
【実用新案登録請求の範囲】
【請求項１】
回転式電動工具本体の回転中心軸と直角なフランジ上に該回転中心軸を挟んで立設する一対の案内壁を有する案内板を配設すると共に、該案内板の何れか一方には被加工物の彫り込み溝深さを調整する彫り込み深さ調整手段を設け、前記案内壁の間隔を案内板の固定位置を変更することにより回転中心軸を基準として離隔自在に構成したことを特徴とする建具の溝加工具。
【請求項２】
前記案内板は、電動工具本体のフランジに着脱自在に設けた座板上に固定されていることを特徴とする請求項１記載の建具の溝加工具。
【請求項３】
前記案内板の案内壁の一端には、該案内壁よりも外側に反らして形成したガイド面を設けたことを特徴とする請求項１記載の建具の溝加工具。
【考案の詳細な説明】
【技術分野】
【０００１】  本考案は、建具類の戸車取り付け用の溝加工具に関し、詳しくは建築物の間口上方の鴨居に設置する吊り戸等建具類の戸車装着用彫り込み溝の加工具に関する。
【背景技術】
【０００２】  従来、吊り戸用戸車装着用の溝加工は専門の職人がノミ又は専用の溝加工工具を用いて手彫りで加工するか、又は被加工物たる開閉戸を直接専用の大型機械のスライドテーブル上に載置して加工するなどの方法で加工するのが一般的であった。【０００３】  しかしながら、前者の手彫り加工は装着する戸車の形状に合わせて任意の寸法に加工できる反面熟練を必要とする他、加工に手間がかかるという問題点がある。一方、後者の専用機械によって溝加工を行う場合は短時間で加工できる反面、大寸法の開閉戸をいちいちテーブル上に運んでセットしなければならないため、その段取りに多大な時間を要するという問題点がある。【０００４】  かかる問題点を解消する方法として、近年特開２００４−８２４３０号に開示するように専用の彫り込み工具を用いて加工する方法が提案されている。この彫り込み工具は、被加工物に蝶番を装着するための彫り込み溝加工を行うに際しＸ方向ならびにＹ方向の彫り込み位置と掘り込み寸法を予め被加工物に罫書いておき、次いで前記罫書き部に合わせて該工具装着の彫り込み刃具先端を被加工物に押し当て、その後押さえプレートを手で押し当てながらＸならびにＹ方向に移動させて所望寸法の彫り込み加工を行うものである。
【考案の開示】
【考案が解決しようとする課題】
【０００５】  前述した彫り込み工具の場合、予め被加工物の彫り込み部に所望の加工寸法線を罫書いておきこの罫書線に合わせて彫り込み工具を移動させるものであるため、該工具に装着した押さえプレート面が被加工物に確実に当接していなかった場合、或いは被加工物に対して前記押さえプレートの押し当て力が不十分だった場合には彫り込み刃の回転反動によって該彫り込み刃と被加工物間が浮き上がり所望とする正確な彫り込み加工ができない他、特に彫り込み工具自体も相当の重量があるため操作に不慣れな者の場合は正確な位置合わせや削り込み加工が困難となるなど多くの問題点を有する。【０００６】  本考案は、かかる問題点を解消して回転式電動工具本体に装着した一対の案内板間に被加工物の両側面を挟むように挿入・スライドさせることによって正確かつ容易に彫り込み溝の加工が可能な建具の溝加工具を提供することを目的とする。
【課題を解決するための手段】
【０００７】  上記目的を達成するために本考案は、回転式電動工具本体１の回転中心軸２と直角なフランジ１ａ上に該回転中心軸を挟んで立設する一対の案内壁１１を有する案内板８，９を配設すると共に、該案内板の何れか一方には被加工物の彫り込み溝深さを調整する彫り込み深さ調整手段１５を設け、前記案内壁１１の間隔を案内板９の固定位置を変更することにより回転中心軸２を基準として離隔自在に構成したことを特徴とする（請求項１）。【０００８】  上記構成により、電動工具本体１に設けた案内板の案内壁１１がガイドとなって被加工物たる建具１２に対する加工部分の位置決めを確実にでき、しかも所望寸法の彫り込み溝を正確に加工できる。さらに、前記建具の厚さが異なる場合でも案内板固定の羅合ネジ１０を緩めるだけで案内壁１１間の寸法を簡単に変更できる。【０００９】  また、前記案内板８，９は、電動工具本体１のフランジ１ａに着脱自在に設けた座板５上に固定することもできる（請求項２）。このように構成することにより、厚さ寸法の異なる建具に対応して予め座板５上に案内板をセットしたものを複数用意しておき、厚さ寸法の異なる建具に合わせて座板毎を交換するようにすれば、いちいち案内壁１１の間隔を調整する必要もないから段取り作業時間も短縮する。特に、このようにすれば厚さの異なる建具の加工頻度が多い場合には有効である。【００１０】  さらに、前記案内板の案内壁１１の一端には、該案内壁よりも外側に反らして形成したガイド面２５を設けるとよい（請求項３）。これにより、建具１２の加工部に本考案彫り込み溝加工具装着の電動工具本体１をセッテイングする際前記ガイド面１５が案内となって案内壁１１間に建具の側面をスムースに挿入できるため作業性も向上する。
【考案の効果】
【００１１】  上記構造によれば、従来職人が手加工で彫り込んでいた吊り戸用戸車の装着溝加工を、特に熟練を要することなく誰でもが容易かつ正確に加工することができ、したがって作業性も格段に向上する。換言すると、吊り戸自体の厚さ寸法や戸車挿入部の寸法が異なる場合でも、単に案内板５の装着位置を変更するだけで容易に対応できる。【００１２】  また、厚さ寸法の異なる建具が複数ある場合でも予め座板上に案内板をセットしたものを複数用意しておき、建具の厚さ寸法に対応してその都度座板毎一式を交換すれば、いちいち案内板の間隔を調整する段取り作業時間も短縮できると共に彫り込み溝も一定寸法で加工でき作業能率も向上する。さらに、本考案は単に吊り戸に限らず例えば引き戸や開閉戸など類似形状の彫り込み溝加工用としても適用可能であるなど、その用途は多大である。
【考案を実施するための最良の形態】
【００１３】  本考案は、回転式電動工具本体１の回転中心軸２と直角なフランジ１ａ上に該回転中心軸を挟んで立設する一対の案内壁１１を有する案内板８，９を配設すると共に、該案内板の何れか一方には被加工物の彫り込み溝深さを調整する彫り込み深さ調整手段１５を設け、前記案内壁１１の間隔を案内板８，９の固定位置を変更することにより回転中心軸２を基準として離隔自在に構成したもので、これにより特別の熟練を要することなく誰でもが正確かつ容易に彫り込み溝加工ができる。
【実施例】
【００１４】  以下、本考案の実施例を図１ないし図４により説明する。電動工具本体１は一般に市販されている回転式の電動工具で、回転中心軸２上の一端に設けられたコレクトチャック３には棒状で外周部にスパイラル状の切削刃を有するスパイラルビット４が装着すると共に、前記電動工具本体の中心軸と直角なフランジ１ａ上には座板５が固定ネジによって着脱自在に装着している。また、電動工具本体１の両側には把持用ハンドル６が張り出して設けられて持ち運び容易となっており、さらにその後方には電源ケーブル７が引き出され、図示しない電源と接続可能となっている。【００１５】  また、前記電動工具本体のフランジ１ａに設けた座板５上には、回転中心軸２を挟んで略Ｌ字状に形成された案内板８、９が左右一対となって固定ネジ１０により着脱自在に配置されると共に、この案内板８，９には前記座板５面に対してほぼ直角に立設する案内壁１１が形成されており、被加工物たる建具１２（図４）の厚さ寸法Ｗに対応してこの案内板８，９の着座面に設けた長孔１３の範囲内で回転中心軸２を基準として離隔調整自在となっている。【００１６】  また、案内板８，９の一側には、相対向する案内壁１１間を橋渡すように螺合ネジにより固定され突設した建具１２に対する彫り込み溝１４の深さＤ（図６）を調整するための彫り込み溝深さの調整手段１５たるストッパー１６が固定されており、案内板に穿設した長溝１７の範囲内で固定位置が可変自在となっている。このストッパー１６の固定位置は、後述する戸車２４（図６）の寸法に対応してスパイラルビット４の径と彫り込み溝深さＤとによって適宜決定される。【００１７】  なお、本実施例において案内板８，９は電動工具本体１のフランジ１ａに着脱自在に設けた座板５上に固定するように説明したが、前記座板を取り除き直接電動工具本体のフランジ１ａ面に固定するようにしてもよく、また前記彫り込み深さ調整手段１５たるストッパー１６は、図（図１，２）においては単に相対向する案内壁１１間を橋渡すように螺合ネジ等の固定手段によって突設させた簡易構造の旨説明したが、例えば図３に示すように略Ｌ字型のブラケット１８上にネジ穴１９を穿設しこのネジ穴に調整摘み２０を螺合し回動操作することによって彫り込み深さＤを微調整するようにてもよく、この調整手段１５の構造は彫り込み溝深さＤに対応して調整可能なストッパーとしての機能を有するものであればその構造は特に限定しない。また、前記長溝１７の近傍には彫り込み溝深さ表示用の目盛りを刻設するようにしてもよいことは言うまでもない。【００１８】  さらに、案内板８，９の案内壁１１の一端（図においては下側）には該案内壁面よりもやや外側（回転中心軸２よりも遠くなる方向）に反らしたガイド面２５が形成されており、これにより建具１２に彫り込み溝１４を加工する際に案内壁１１間に建具１２の一角をスムースに差し込みできるから作業性も向上する。【００１９】  本考案は以上の如く構成されており、次いでその作用について説明する。まず、図４の如く被加工物たる建具１２を作業台２６上にやや傾斜させて載置した後、電動工具本体１のハンドル６を両手で把持しかつ建具の端部２７を座板５と当接させながら案内板８，９の案内壁１１間に彫り込むべき建具の一角を挟むように挿入する。このとき前記案内壁の一端に設けたガイド面２５が外側にやや反らして形成してあるため、これが案内となって建具の側面をスムースにスライドしながら挿入できる。【００２０】  次いで、電動工具本体１のスイッチをＯＮし該工具本体固定の座板５面を建具１２の端部２７に軽く押し当てながら彫り込み溝の彫り込み方向に（図中左下方向）ゆっくりと摺動移動させる。これにより電動工具本体１の回転軸に装着したスパイラルビット４によって暫時削り込みがなされ、次第に彫り込み溝が形成される。そして、ストッパー１６が建具１２の上面と当接したところで所望の溝深さＤの彫り込み溝加工が終了する。以降は同様の作業で他の建具の加工を繰り返す。【００２１】  また、このとき建具１２の厚さ寸法Ｗが異なる他の建具を加工するときは、例えば図５に示すように案内壁１１間の寸法Ｗ設定用の冶具３０を用いて設定する。その要領は、まず冶具の把持部３１を手で持って穴３２にスパイラルビット４の先端部を挿入した後冶具の側面３３を案内板の案内壁１１面にそれぞれ当接・位置決めした状態で螺合ネジ１０を緊締して座板５と固定する。【００２２】  さらに、厚さ寸法Ｗが異なる建具が２種類ある場合には前記冶具３０を以下のように形成することによって案内壁１１間の寸法設定が可能である。即ち、該冶具の側面寸法Ｒ及びＴの寸法を冶具の中心３４に対して予め異ならせて形成しておき、例えば建具の幅寸法Ｗが異なる一方の建具用に設定するときは冶具側面のＲ側を用いて案内板８側の固定位置を設定し、次いで冶具３０を１８０度反転・回動させ前記Ｒ側の側面と他の一方の案内板９側の案内壁１１を当接させた状態で固定すればよい。【００２３】  また、幅寸法Ｗが異なるもう一方の建具の彫り込み溝を加工するときは、前記冶具３０のＴ側側面を基準として上記同様の方法で設定する。以上の如く行うことにより１つの冶具で幅寸法の異なる２種類の幅寸法Ｗの設定が可能となる。【００２４】  さらに、前記建具の幅寸法Ｗが異なるものが複数種類ある場合には、それぞれの厚さ寸法Ｗの建具に対応して予め座板５上に案内壁１１間の寸法を設定した案内板８，９装着の座板セットを複数用意しておき、都度厚さ寸法の異なる建具に応じて前記座板セット毎を交換するようにすれば、いちいち建具の厚さ寸法Ｗが異なる都度該案内板の間隔を調整する必要もないから段取り作業時間も短縮できる。この方法は、特に厚さの異なる建具の加工頻度が多い場合には好都合である。【００２５】  図６は、本考案建具の溝加工具によって加工した建具に戸車を装着した要部の概要図で、彫り込み溝１４の加工後建具１２に戸車２４を装着し、図示しない戸車固定部材によって該建具としっかりと固定したうえ鴨居に設けた戸車レール４０上に建具を取り付けたものである。【００２６】  以上、本実施例について詳細に説明したが、本考案溝加工具は単に吊り戸の彫り込み溝加工用に限らず、例えば引き戸用戸車の装着溝を加工することもでき、その場合は建具の下面から垂直方向に彫り込むことにより可能である。図７は引き戸用戸車の装着状態を示す概要図で、引き戸用建具１２ａに加工した彫り込み溝１４ａに戸車２４ａを装���後、図示しない戸車固定部材によって建具としっかりと固定し敷居に取り付けた戸車レール４０ａ上に取り付けたものである。その場合も、上述した如く案内板８，９とストッパー１６によって彫り込み寸法を設定すればそのまま加工部位の位置合わせが可能であるから、従来のように予め加工部位に罫書き線を引いておく必要は全くない。【００２７】  さらに、本考案は開閉戸の縦方向の端部に蝶番装着用の彫り込み溝を加工することもできる。その場合は、案内板８、９の何れか一方を座板５面より取り外し、他側の案内板の案内壁１１面にスパイラルビット外周部の一部分を囲繞するように凹み部を形成しておき、蝶板装着用の彫り込み溝寸法に応じて彫り込み刃の最外端と案内壁面間の寸法を設定したうえで彫り込むべき建具の側面に前記案内壁１１面を当接・摺動移動させながら彫り込めばよい。
【図面の簡単な説明】
【００２８】
【図１】  本考案建具の溝加工具の全体図である。
【図２】  本考案建具の溝加工具の部材展開図である。
【図３】  彫り込み溝深さ調整手段の説明図である。
【図４】  建具の彫り込み溝加工要領の説明図である。
【図５】  案内板装着用冶具の使用説明図である。
【図６】  吊り戸に戸車を装着したときの要部概略図である。
【図７】  引き戸に戸車を装着したときの要部概略図である。
【符号の説明】
【００２９】        １  電動工具本体
２  回転中心軸
４  スパイラルビット
５  座板
８  案内板
９  案内板
１１  案内壁
１２  建具
１４  彫り込み溝
１５  彫り込み深さ調整手段
１６  ストッパー
２５  ガイド面
【図１】
0003110606.tif 000003
【図２】
0003110606.tif 000004
【図３】
0003110606.tif 000005
【図４】
0003110606.tif 000006
【図５】
0003110606.tif 000007
【図６】
0003110606.tif 000008
【図７】
0003110606.tif 000009